(57)【特許請求の範囲】
【請求項１】
多数の診療記録を電子的に作成して保存する電子カルテのために使用される電子カルテ用指示箋作成システムにおいて、
電子カルテ用の指示箋シートの上に作成すべき、処方、頓服、外用、投与法、処置、注射などの指示のサブカテゴリーを選択するためのサブカテゴリー選択手段と、
前記各サブカテゴリー毎にそれぞれ対応する独自の書式を有し且つ前記指示箋シート上に一行単位で表示される入力ユニットを、各サブカテゴリーとそれぞれ関連付けて記録するための入力ユニット記録手段と、
前記指示箋シート上に、前記入力ユニットが複数行作成されているとき、その複数行の中の任意の各行の間の位置であって新しい入力ユニットを挿入するための位置を指定するための入力ユニット位置指定手段と、
前記サブカテゴリー選択手段からのデータと前記入力ユニット記録手段からのデータと前記入力ユニット位置指定手段からのデータとに基づいて、「前記選択されたサブカテゴリーに対応する独自の書式を有する、各入力ユニット」を、一つ一つ、個別に、前記指示箋シート上の前記指定された位置に、生成し配置するための入力ユニット生成手段と、
を備えたことを特徴とする電子カルテ用指示箋作成システム。
【請求項２】
請求項１において、
前記指示箋シート上に、行単位の入力ユニットが複数行、既に作成されているとき、前記複数行の入力ユニットに続く位置に新しい入力ユニットを生成するための位置を指定する生成位置指定手段、を備えたことを特徴とする電子カルテ用指示箋作成システム。
【請求項３】
請求項１又は２において、
前記入力ユニット位置指定手段は、既に生成された行単位の各入力ユニットとそれぞれ対応するように各行毎に表示される挿入ボタンの操作に応じて、その対応する行の位置に新しい入力ユニットを挿入するためものである、ことを特徴とする電子カルテ用指示箋作成システム。
【請求項４】
請求項１，２又は３において、
前記指示箋シート上において、既に生成された行単位の各入力ユニットとそれぞれ対応するように各行毎に表示される消去ボタンの操作に応じて、その対応する行の入力ユニット及びデータを一括消去するための消去手段、を備えたことを特徴とする電子カルテ用指示箋作成システム。
【請求項５】
請求項１から４までのいずれかにおいて、さらに、
前記各サブカテゴリーとそれぞれ対応する慣用語例を各サブカテゴリーと関連付けて記録する慣用語例記録手段と、
前記入力ユニット生成手段により入力ユニットが生成されたとき、前記サブカテゴリー選択手段及び前記慣用語例記録手段からの出力に基づいて、選択されたサブカテゴリーに対応する慣用語例を表示する慣用語例表示手段と、
前記慣用語例表示手段により表示された慣用語例の一部が選択されたとき、その選択された部分を、前記入力ユニットの所定領域にデータとして入力する慣用語例入力手段と、
を備えたことを特徴とする電子カルテ用指示箋作成システム。
【発明の詳細な説明】
【０００１】
【発明の属する技術分野】
本発明は電子カルテの診療記録に含まれる指示箋（処方箋や注射箋など）の編集を容易に且つ正確に行うことができる電子カルテ用指示箋作成システムに関する。
【０００２】
【従来の技術】
従来より、紙媒体のカルテか電子カルテかに拘わらず、医療機関のカルテに含まれる指示箋（処方箋、注射箋など）は、対象患者一人毎に作成される。そして、その指示箋の中身は、指示のサブカテゴリーにより各種の書式がある。処方箋を例にとると、いわゆる処方、頓服、外用、処置、注射などのサブカテゴリーによってその記録様式・書式が違う（特にその投与法の有無や内容の違いが大きい）。ここで、「書式が違う」とは、その中に含まれる項目数あるいはその項目文字数や項目データの属性（文字か数値かなど）が違うこと、を意味する。例えば、処方の場合は、1日何回に分けて飲むか、食前食後などいつ飲むか、投与日数は何日間にするか、などの記入が必要であり、頓服の場合は、いつ飲むか、何回投与するか、などの項目が必要であり、外用の場合はいわゆる塗り薬に関しては投与法自体が不要である。
【０００３】
従来の電子カルテで指示箋を作成するときは、処方、頓服、外用、処置、注射などの指示のサブカテゴリーが異なる毎に（すなわち書式・記述法が異なる毎に）、それぞれの互いに異なる独自の書式を画面上にボックスとして表示させ、その中でデータを入力して編集していた。つまり、従来は、指示箋を作成するときでも、サブカテゴリーが異なり書式が異なるもの同士は、互いに独立にそれぞれデータ入力用の書式を有するボックスを表示させて、その中にデータ入力するようにしていた。そして、それらの互いに独立にデータ入力した各サブカテゴリー毎の書式及びデータは、最後に、それらをまとめて一つの指示箋としてプレビューできるようにしていた（各書式のボックスを入力・編集しているときに、それと並行して、複数のサブカテゴリーの全体をプレビューでまとめて見ることはできなかった）。
【０００４】
すなわち、従来の電子カルテ用の指示箋を作成する場合は、処方、外用、頓服などの各サブカテゴリー毎に他のサブカテゴリーのデータとは独立にデータ入力するしかなかった。よって、従来のシステムでは、指示箋の中のある一つのサブカテゴリーのデータを入力するとき、同じ指示箋の中の他のサブカテゴリーのデータを見ながら（参照しながら）データの内容を決定し入力していくということは、できなかった。
【０００５】
【発明が解決しようとする課題】
前述のように、従来の電子カルテ用指示箋作成システムでは、同じ指示箋の中の処方、外用、頓服などの指示の各サブカテゴリーを、互いに独立に編集する必要があり、あるサブカテゴリーの入力・編集を行っているときに同じ指示箋に含まれる他のサブカテゴリーの内容を参照することはできなかった。しかし、元来、これらのサブカテゴリーは、「同じ対象患者に対して、投与する、行なうなどの指示を出す」という点からみれば、一つの指示箋の中身として互いに密接不可分に関連している。ある一つのサブカテゴリーの内容を決定し入力するためには、同じ患者の同じ指示箋の中にある他のサブカテゴリーの内容を参照して互いに矛盾や齟齬の無い内容にすることが極めて大切である。現に、電子カルテではない紙カルテにおいては、指示箋はサブカテゴリーの違いに拘わらず全て同じ一つの紙の上に書くようになっており、ある一つのサブカテゴリー（例えば「頓服」）の内容を決定し記述するときは、必ず、他の種類のサブカテゴリー（例えば「外用」や「処置」や「注射」など）の記述を参照しながら（つまり、指示箋の全体を一覧しながら）行うようにしている。コンピュータを使用する電子カルテにおいても、指示箋（処方箋、注射箋）の中で、書式の違い（内服、頓服、外用、投与法、処置、注射）に拘わらずそれらを全て一枚のシートの上で自由に記入し、対象の患者に対する指示全般を一覧することができ、さらに書式を自由に迅速に編集出来ることが必要である。
【０００６】
ところが、紙カルテを合理化するために提案されているはずの従来の電子カルテのシステムにおいては、従来のコンピュータ的手段が踏襲されたためか、互いに異なる書式を持つサブカテゴリーは、それぞれ別個独立の編集シートが準備され、各サブカテゴリーの編集シートには、互いにその内容を参照することなくそれぞれ独立にデータ入力する、というシステムになっている。
【０００７】
このように、従来の電子カルテシステムには、一つの指示箋の中で、互いに書式が異なる各サブカテゴリーの入力ユニットを、その書式の違いに拘わり無く、任意に１つの指示箋シートの上で編集するという発想は無い。ただ、「一つのシート上で様々な書式のデータを任意に書いて行く」ということだけを考えるなら、ワープロを使用すればできる。しかし、ワープロによりデータ入力するときは、一つの指示箋の中の今までの経過を各サブカテゴリー毎に並べ替えて分析したり、各サブカテゴリー毎に薬名、投与量、投与日数等のデータの区別を行ったり、サブカテゴリーの特定の項目のデータを検索したりすることなどは、できない。指示箋の作成を単にワープロにより行うときは、指示箋の内容は単なる文字の羅列に過ぎなくなり医療データとしての有効性に欠けることになる（データベース化して、集計したり、並べ替えたりして分析することができない）。このように、ワープロには、もともと、データベース的発想は無いので、電子カルテの指示箋作成には不向きである。
【０００８】
本発明はこのような従来技術の問題点に着目してなされたものであって、同じ指示箋に含まれる複数のサブカテゴリーの内容を、その入力ユニットの書式の違いに拘わらず、同じ一つのシートの上に編集することを可能にして、同じ一人の対象患者に対する指示箋のあるサブカテゴリーの内容の決定及びデータ入力を、同じ指示箋の中の他のサブカテゴリーの内容などの指示箋の全体を閲覧・参照しながら、行うことができる電子カルテ用指示箋作成システムを提供することを目的とする。また、本発明は、一つの指示箋の中で、各サブカテゴリー毎の入力ユニットを容易に消去又は挿入することにより指示箋の中の各サブカテゴリー毎の入力ユニットのレイアウトを極めて容易且つ柔軟に行える電子カルテ用指示箋作成システムを提供することを目的とする。また、本発明は、一行単位の各入力ユニットの中の各構成要素・項目（薬品名、量、投与時期、投与日数等）についても、自由に入力・訂正できる電子カルテ用指示箋作成システムを提供することを目的とする。さらに、本発明は、指示箋の中の各サブカテゴリーについて、更に各サブカテゴリーの中の各構成要素（項目）について、それぞれデータとして固有のアクセスが可能なデータベースを構築することができる電子カルテ用指示箋作成システムを提供することを目的とする。
【０００９】
【課題を解決するための手段】
まず、本発明者による着想・技術思想の全体像を説明する。本発明者は、指示箋の中の各サブカテゴリーは、互いに書式が異なっているとしても、それらの各サブカテゴリー毎のデータは、ほぼ全て、指示箋シートの中の一行内で書ける分量しかないこと（各サブカテゴリー毎の入力ユニットを、指示箋シートの中の一行単位で構成できるということ）に注目した。また、指示箋の各サブカテゴリーを迅速に分かりやすく編集するためには、複数のサブカテゴリーの編集が容易である必要があるが、そのために、各サブカテゴリー毎の入力ユニットを行単位で構成し、各行の「消去ボタン」及び「挿入ボタン」を各行毎に設けることを着想した。すなわち、行単位の入力ユニットの編集のためにはキー操作の方式も可能だが、キー操作方式だと、まず操作する行を指定し、次にキーを押すという２度手間となる。これに対して消去ボタン・挿入ボタンの方式によると、少なくともサブカテゴリーのデータが入力された全ての行については、それぞれ、消去ボタン、挿入ボタンがあるので、ユーザーはワンタッチで消去・挿入の操作ができ便利である。つまり、前記の消去ボタンの存在により、ユーザーは、一行全部の消去・削除が、画面の例えば右側（画面の左側でもよい）の消去ボタンを押す事によって、簡単にできるようになる。また、サブカテゴリーの記載漏れが後から分かったときは、ユーザーは、前記挿入ボタンを操作して、新しいサブカテゴリーの書式の入力ユニットを、希望する行に自由に挿入することができる。
【００１０】
さらに、本発明者の着想によれば、画面の上部に、指示の各サブカテゴリー（処方、頓服、外用、、処置、注射、投与法など）を選択するためのサブカテゴリー選択ボタンを配置する。このサブカテゴリー選択ボタンは、各サブカテゴリー毎の独自の書式（項目数、項目データの属性など）を有する入力ユニットの選択をするためのものである。ユーザーがこのサブカテゴリー選択ボタンを操作することにより、システム（ＣＰＵ＝中央処理装置）に、サブカテゴリーの種類を知らせる。ユーザーは、新規ボタンを押すことにより、前記選択されたサブカテゴリーの種類に対応した書式の構成項目のデータがすべて空白であるような一行の入力ユニットを、指示箋シート上に設定（レイアウト）することができる（通常は、指示箋シート上に既に作成されている各サブカテゴリーの入力ユニット及びデータの最終行の次の行に、新規の入力ユニットが配置される）。
【００１１】
又、ユーザーがサブカテゴリー選択ボタンを押したとき、一行の入力ユニットをレイアウトすると共に、画面の一部に前記選択されたサブカテゴリーに対応する慣用語例の一覧表を表示させて、ユーザーがその一覧表から語又は文字列を選択して、その選択したものを前記入力ユニットの中の所定項目のデータ入力領域（入力枠＝セル）に埋めていくことができる。ユーザーは、前記一覧表の中に予め準備された薬品名、投与量、投与量の単位（グラムなど）などを、選択して、前記入力ユニットの中の各入力枠（セル）の領域に埋め込むことができるので、忙しい現場では極めて便利である。
【００１２】
以上のようにして一行毎に挿入ボタン・消去ボタンを有する指示箋の編集シート上に、上述の選択されたサブカテゴリーに対応する独自の書式を有する一行の入力ユニットを表示させる。また、一行単位の書式からなる一つの入力ユニットの中の各構成要素(項目)には、例えばそこをクリックすることによりアクセス出来るようにするのが便利である。このようにして任意の書式設定のボタン（各サブカテゴリー選択ボタン）を押しながら、上記操作を繰り返しつつ患者一人一人の指示箋（処方箋、注射箋など）を作成していく。各行毎に互いに異なる書式がレイアウトされる場合でも、この指示箋シート（編集シート）の上では前記の挿入ボタン・消去ボタンにより、行単位での一括編集（行単位の入力ユニットの一括消去、複数行の入力ユニットの任意の間への挿入）が可能である。また、行単位の各入力ユニットの中の任意の項目のデータの入力や変更も、その部分をクリックすることによって可能となる（クリック項目の編集）。以上により、一人の対象患者について、その指示箋の全て（一つの指示箋シートに含まれる複数の互いに異なる書式のサブカテゴリーの内容の全て）を閲覧しながら、あるサブカテゴリーの内容を編集することができる。しかも、一つの指示箋に含まれる全てのサブカテゴリーを表示させたまま、つまり他のサブカテゴリーの内容を参照しながら、一括編集することができる。
【００１３】
なお、ここで、本発明において使用する「カテゴリー」と「サブカテゴリー」という用語の説明を加えておく。医療に於いて指示の最小単位として、処方、頓服、外用、投与法、処理、筋肉注射、皮下注射、静脈注射、点滴注射、膣内局所注入などがある（本明細書では、これらを「サブカテゴリー」と呼ぶ）。指示箋の「カテゴリー」である処方箋、注射箋などは、これらの任意の「サブカテゴリー」から作られている。本明細書では、指示箋の「カテゴリー」の一つである「処方箋」を中心として述べているので、煩雑を避けるため、筋肉注射、皮下注射、点滴注射、膣内局所注入のサブカテゴリーは一括して「注射」として、以下に記した。指示箋のカテゴリーの１つである「注射箋」も、以下で詳述する「処方箋」と原理は同じである。また、本明細書において、入力ユニットとは、通常は１行単位などの入力単位を言う。この入力ユニットは、各サブカテゴリーに対応して生成される。各入力ユニットは、各サブカテゴリー毎に、独自の書式、すなわち独自の一つ又は複数の項目とその項目に適した一つ又は複数の入力枠（データ入力領域）とにより構成される。
【００１４】
次に、以上のような技術思想に基づいて、前記の従来技術の課題を解決するための本願発明の内容は、次のとおりである。本発明による電子カルテ用指示箋作成システムは、多数の診療記録を電子的に作成して保存する電子カルテのために使用される電子カルテ用指示箋作成システム（処方箋や注射箋などのカテゴリーより成る指示箋を作成するためのシステム）において、電子カルテ用の指示箋シートの上に作成すべき、処方、頓服、外用、投与法、処置、注射などの指示のサブカテゴリーを選択するためのサブカテゴリー選択手段と、前記各サブカテゴリー毎にそれぞれ対応する独自の書式を有し且つ前記指示箋シート上に一行単位で表示される入力ユニットを、各サブカテゴリーとそれぞれ関連付けて記録するための入力ユニット記録手段と、前記指示箋シート上に、前記入力ユニットが複数行作成されているとき、その複数行の中の任意の各行の間の位置であって新しい入力ユニットを挿入するための位置を指定するための入力ユニット位置指定手段と、前記サブカテゴリー選択手段からのデータと前記入力ユニット記録手段からのデータと前記入力ユニット位置指定手段からのデータとに基づいて、「前記選択されたサブカテゴリーに対応する独自の書式を有する、各入力ユニット」を、一つ一つ、個別に、前記指示箋シート上の前記指定された位置に、生成し配置するための入力ユニット生成手段と、を備え、異なる書式のサブカテゴリーを一つのシートの上で自由に編集する機能を持つものである。
【００１５】
なお、本発明による電子カルテ用指示箋作成システムにおいて、前記入力ユニット記録手段が記録しておく各入力ユニットは、前記指示箋上にそれぞれ一行単位で表示される形式のものである。
【００１６】
また、本発明による電子カルテ用指示箋作成システムにおいて、前記入力ユニット位置指定手段は、前記指示箋シート上に、行単位の入力ユニットが複数行既に作成されているとき、前記の複数行の中の任意の各行の間に新しい入力ユニットを挿入するための位置を指定するためのものである。
【００１７】
また、特に、本発明による電子カルテ用指示箋作成システムにおいて、前記入力ユニット位置指定手段は、前記指示箋シート上に各行毎に表示されている挿入ボタンであって、前記指示箋シート上に行単位の入力ユニットが複数行既に作成されているとき、それの操作により、それが対応する行の位置に新しい入力ユニットを挿入するための挿入ボタン、であってもよい。
【００１８】
また、本発明による電子カルテ用指示箋作成システムにおいては、前記指示箋シート上において、既に生成された行単位の各入力ユニットとそれぞれ対応するように各行毎に表示される消去ボタンの操作に応じて、その対応する行の入力ユニット及びデータを一括消去するための消去手段、を備えるのがよい。
【００１９】
さらに、本発明による電子カルテ用指示箋作成システムにおいては、前記各サブカテゴリーとそれぞれ対応する慣用語例を各サブカテゴリーと関連付けて記録する慣用語例記録手段と、前記入力ユニット生成手段により入力ユニットが生成されたとき（１行の入力枠ユニットが表示されたとき）、前記サブカテゴリー選択手段及び前記慣用語例記録手段からの出力に基づいて、選択されたサブカテゴリーに対応する慣用語例を表示する慣用語例表示手段と、前記慣用語例表示手段により表示された慣用語例の一部（一つの語）が選択されたとき、その選択された部分を、前記入力ユニットの所定領域（入力枠）にデータとして入力する慣用語例入力手段と、を備えることが望ましい。
【００２０】
【発明の実施の形態】
図１は本発明の一実施形態の構成の主要部を概念的に示す原理図である。図１において、１は電子カルテの中の各診療記録シート（図２で後述する）に含まれる指示箋シートの上で、これから記入（入力）しようとする指示のサブカテゴリーの種類（処方、頓服、外用、投与法、処置、注射など）を選択するためのサブカテゴリー選択部である。このサブカテゴリー選択部１によるサブカテゴリーの選択は、本実施形態では、画面の中の指示箋シートの上方に表示されるサブカテゴリー選択ボタン（後述）をユーザーが操作する動作に応じて行われる。また、図１において、２は各サブカテゴリー毎に固有の書式を有する入力ユニット（所定の項目とデータ入力エリアから構成されるもの）を各サブカテゴリーと関連付けて記録する入力ユニット記録部、３は前記サブカテゴリー選択部１からの出力（サブカテゴリー選択情報）に基づいて入力ユニット記録部３に記録された複数の入力ユニットの中から該当するサブカテゴリーの入力ユニットを選択する入力ユニット選択部、４は指示箋シート上に入力ユニットを生成・表示させる位置を選択するための入力ユニット生成位置選択部、５は前記入力ユニット選択部３及び入力ユニット生成位置選択部４からの出力に基づいて指示箋シート上の選択位置に選択されたサブカテゴリーの入力ユニットを生成・表示する入力ユニット生成部である。また、図１において、６は各サブカテゴリーにそれぞれ対応する慣用語例を記録しておく慣用語例記録部、７は前記サブカテゴリー選択部１からの出力（サブカテゴリー選択情報）に基づいて前記慣用語例記録部６から選択されたサブカテゴリーに対応する慣用語例を選択する慣用語例選択部、８はこの選択された慣用語例を指示箋シート上に表示する慣用語例表示部である。
【００２１】
次に、図２は本発明を適用する電子カルテシステムにおいて表示される、ある患者（この例の場合は産婦人科の診療を受ける妊婦）のある日時の診療記録シート、及びこの診療記録シートの中に表示される指示箋シートを説明するための図である。図２において、１１はその日の妊婦検査の結果を入力・表示するための妊婦検診表示部、１２は患者からの訴えの聞き取り内容（主訴や現症）を入力・表示するための聞き取り表示部、１３は医師の指示箋（処方箋・注射箋）を文字で入力・表示するための指示箋シート、１４は妊婦のお腹を超音波撮影した画像データを入力・表示する超音波撮影画像表示部、１５は医師の診察結果を図形で入力・表示するための図形表示部、１６は患者毎の電子カルテに含まれる多数の診療記録シートをユーザー（医師）が日付を手掛かりにして呼び出すための日付ラベルである。この図２に示す例では、診療記録シート上に表示されるデータの種類、数、表示位置、表示の大きさは自由であり、ユーザーが画面上で任意にレイアウトできる。また、この図２に示す例では、ユーザーである医師は、画面表示された診療記録シートの中の任意の位置を示す位置データを、自己が作成した文字データ、画像データ、及び図形データに関連付けることができる。つまり、ユーザーは、新規作成用の診療記録シートの上で、指示箋などの文字データを作成するとき、その文字データに前記位置データを関連付けることができる。また、同様に、ユーザーは、新規作成用の診療記録シートの上で、超音波写真やレントゲン写真を貼り付けるとき、その写真などの画像データに前記位置データを関連付けることができる。また、ユーザーは、新規作成用の診療記録シートの上で、患者の患部を図示するための図形を貼り付けるとき、その図形データに前記位置データを関連付けることができる。よって、ユーザーは、従来の紙媒体のカルテと同様の感覚（操作性）で、診療記録シートの中の好きな位置に、文字・画像・図形などのデータを自由に書き込む（貼り付ける）ことが可能になる。
【００２２】
次に、本実施形態による指示箋作成システムの詳細な構成及び動作を図面を参照して説明する。図３は本実施形態による指示箋作成用の表示画面を示すものである。図３において、２１はサブカテゴリー選択ボタンのグループ（図に示すように、この例では「処方」「頓服」「外用」「投与法」「処置」の５つのボタンより成る）を示す。ユーザーは、このサブカテゴリー選択ボタン２１を操作することにより、処方、頓服、外用、投与法、処置などの指示のサブカテゴリーのいずれかを選択する。また、２２は新規処方ボタンである。ユーザーは、この新規処方ボタン２２を操作することにより、指示のサブカテゴリーの新規入力を行う。２３は指示箋を編集するための指示箋シートを示す。２４は対応する行の入力ユニット及びデータを一括消去するための消去ボタンである。また、２５は対応する行に新しい入力ユニットを挿入するための挿入ボタンである。
【００２３】
なお、この図３においては、前記消去ボタン２４及び挿入ボタン２５は、指示箋シート２３の全ての行に予め配置されているが、本発明ではこれに限られるものではなく、指示箋シート２３の中において既に入力ユニット及びデータが入力・作成されている行についてのみ消去ボタン２４及び挿入ボタン２５を表示させて、入力ユニットが入力されていない行（指示箋シート２３の中の未だ何も入力されていない部分）については前記の各ボタン２４，２５を表示させなくてもよい。すなわち、図３の符号２６で示す範囲（入力枠ユニットが既に生成され表示されている範囲）の行についてだけ前記ボタン２４，２５を表示させるようにしてもよい。また、この場合はさらに、入力ユニット選択部に、各入力ユニットの間の区別がつきやすいように、各入力ユニット間に空白を開ける機能を持たせることもできる（すなわち、図３において、各行単位で表示された各入力ユニットの間の空白の行である図３の２６Ａ，２６Ｂ，及び２６Ｃの各行については、消去ボタン及び挿入ボタンを表示しないようにしてもよい）。
【００２４】
次に、図４は、ユーザー（医師）が、前記サブカテゴリー選択ボタン２１のグループの中の「処方」のボタンを押したときの動作を示す図である。この場合、図４の画面の一部には、前記慣用語例表示部８（図１参照）により、前記の選択された「処方」のサブカテゴリーに対応する慣用語例を表示するためのボックスが表示される。このボックスの中には、「処方」のサブカテゴリーに対応する薬品名の慣用語例が表示される。ユーザーは、この表示された慣用語例の中から、例えば「ウテメリン」という薬品名を選択してクリックする。すると、前記入力ユニットの中の「薬品名」の項目の中に、「ウテメリン」という薬品名が自動的に入力され、画面に表示される。また、「投与量」やその投与法の「単位」も、予め、前記の慣用語例の中にセットされているので、前記と同じ要領で、ユーザーは容易に入力枠へのデータ入力ができる。
【００２５】
次に、図５は、「処方」ボタンを選択した前述の図４の状態から、さらに、ユーザーが前記新規処方ボタン２２を押したときの動作を説明するための図である。この場合、前記指示箋シート２３には、図４の動作で生成された入力ユニット３１の次の行に、新たに、「処方」のサブカテゴリーに対応する入力ユニット３２が生成され表示される。この新たに生成・表示された一行の入力ユニット３２は、その各項目のデータ領域が空白のままであるから、ユーザーは、この各項目のデータ領域にデータを自由に記入できる。各項目のデータ領域へのデータの入力は、ユーザーが各領域の部分をマウスなどのポインティングデバイスでクリックすることにより、自由にできる。
【００２６】
次に、図６は、図５に示す状態から、ユーザーが前記入力ユニット３２の各項目に自由にデータを入力（図６の例では、一行の入力ユニット３２の中の薬品名、投与量、投与量の単位の３つのの項目のデータ領域にそれぞれ「メジコン散」「０．６」「ｇ」と入力）し、その後、さらに、前記サブカテゴリー選択ボタン２１のグループの中の「投与法」のボタンを押したときに表示される画面である。この図６の例では、指示箋シート２３の３行目（前記入力ユニット３２の下の行）に、新たに「投与法」というサブカテゴリーに対応する書式（「いつ飲むか」という項目と、「一日何回飲むか」という項目と、「何日分か」という項目との３つの項目から成る）の入力ユニット３３が生成・表示される。そして、この図６の例では、ユーザーが、この入力ユニット３３の中の前記３つの項目のデータ領域に、それぞれ、所定のデータ（「食後」「３」「５」というデータ）を入力している。
【００２７】
次に、図７は、図６に示す状態から、さらに、ユーザーが、前記サブカテゴリー選択ボタン２１のグループの中の「頓服」のボタンを押すと共に新規処方ボタン２２のボタンを押したときの動作を示すものである。この場合は、前記入力ユニット３３の下の行に、新たに「頓服」のサブカテゴリーに対応する書式の入力ユニット３４が生成・表示される。この図７の例では、ユーザーは、この入力ユニット３４の各項目のデータ領域の中に、所定のデータ（「ブスコパン錠」「２」「錠」というデータ）を入力している。ここで、ユーザーは、さらに、前記サブカテゴリー選択ボタン２１グループの中の「投与法」のボタンを押すことにより、頓服用の「投与法」の書式の入力ユニット３５が、次の行にレイアウト・表示されている。そして、この例では、ユーザーが、この入力ユニット３５に、所定のデータ（「食間」「７」）を入力している。
【００２８】
次に、図８は、図７に示す状態から、さらにサブカテゴリー選択ボタン２１の「外用」ボタンを押して、「外用」のサブカテゴリーに対応する入力ユニット３６をレイアウト・表示した画面である。ここでは、「モーラステープ湿布、１、袋」と入力している。なお「外用」のサブカテゴリーには、「投与法」は必要ない。
【００２９】
次に、図９は、図８の状態において、ユーザーが、指示箋シート２３の上から２行目の入力ユニット３２に対応する消去ボタン２４ａ（図８参照）を押したときの動作の結果を示すものである。この場合、指示箋シート２３から、前記の押された消去ボタン２４ａに対応する上から２行目の入力ユニット３２及びその中のデータが一括消去され、その後、前記入力ユニット３２の下にレイアウトされていた入力ユニット３３が、前記の上から２行目の位置（前記の一括消去された入力ユニット３２があった位置）まで上昇すると共に、その下の入力ユニット３４が同３行目の位置に上昇する。
【００３０】
次に、図１０は、図９の状態において、ユーザーが、図９の画面の指示箋シート２３の上から３行目の位置に対応する挿入ボタン２５ａ（図９参照）を押したときの状態を示すものである。この場合、前記挿入ボタン２５ａに対応する行に、空白行（図１０の符号Ａを参照）ができる。
【００３１】
次に、図１１は、前記挿入ボタン２５ａを押した後、ユーザーが前記サブカテゴリー選択ボタン２１のグループの「処置」のボタンを押したときの動作を示すものである。この場合、前記の挿入ボタン２５ａの操作により形成された空白行Ａの位置に、「処置」のサブカテゴリーの書式の入力ユニット３７が生成・表示される。この図１１の例では、この入力ユニット３７の中に、ユーザーにより、「創傷洗浄ガーゼ交換処置」というデータが入力され表示されている。この「処置」のサブカテゴリーの入力ユニットの書式は、他のサブカテゴリーの入力ユニットの書式とは異なるが、他のサブカテゴリーの入力ユニット３１，３３，３４，３５，３６と同様に、指示箋シート２３の上に自由にレイアウトすることができる。
【００３２】
以上に説明したように、本実施形態では、一人の患者のための指示箋シート２３の上で、各サブカテゴリー毎に異なる書式を有する行単位の入力ユニットを、複数、自由にレイアウトすることができる。すなわち、ユーザーは、前記の消去ボタン２４，２４ａや挿入ボタン２５，２５ａを操作することにより、互いに異なる書式を有する入力ユニットを行単位で自由にレイアウト・編集することができる。また、ユーザーは、前記入力ユニットの中の各構成要素（項目）をクリックすることにより、その項目のデータ領域に様々なデータを自由に入力することができる。また、ユーザーは、各サブカテゴリーの入力ユニットの種類に応じて表示される慣用語例のボックスから、任意の慣用語句を選択してクリックすることにより、各入力ユニットの項目のデータ領域の中にその慣用語句を自動的に入力することができる。
【００３３】
なお、本実施形態では、前記の行単位の入力ユニットの一括消去の機能を実現するために消去ボタン２４，２４ａを画面表示してユーザーに操作させているが、本発明では、これに限られることなく、前記の消去動作を行うためのボタンの位置・形などを自由に変え、各行を操作するなど、本実施形態で示したこと以外の様々な方法を採ることが可能である。また、本実施形態では、前記の行単位の入力ユニットの一括消去の機能を実現するために挿入ボタン２５，２５ａを画面表示してユーザーに操作させているが、本発明では、これに限られることなく、前記の挿入動作を行うためのボタンの位置・形を自由に変え、各行を操作するなど、本実施形態で示したこと以外の様々な方法を採ることが可能である。
【００３４】
【発明の効果】
医療の現場においては、指示箋（この「指示箋」は、処方箋、注射箋などのカテゴリーを持つ）は患者に対するさまざまな指示を記録するものであり、すべての指示を一覧しつつ編集出来る事が、指示箋の作成時間の短縮、さらには誤った指示を防ぐのに役立つ。従来の指示箋作成システムでは、異なる書式を有するサブカテゴリー(処方、頓服、外用、投与法、処置、注射など)毎に、それぞれ別のシートで編集し、後でそれらをまとめて指示箋としてプレビューするというものであるため、各サブカテゴリーの間で互いに整合性に欠けた指示箋を作ってしまう危険がある（各サブカテゴリーを記入するとき他のサブカテゴリーを参照できないため）し、また、各サブカテゴリーの記入後に全体を互いに整合性がとれるようにまとめねばならないため、時間的損失や手間がかかってしまう、という欠点がある。本発明では、このような従来技術の欠点を克服し、指示箋（処方箋、注射箋など）の電子化において指示の作成のし昜さに大いに寄与し、誤った指示の発生防止に大いに役立つものである。
【００３５】
すなわち、本発明においては、一つの指示箋シートの上に、ユーザー（医師）により選択されたサブカテゴリーに対応する書式の入力ユニットを、ユーザーにより指定された位置に、自由にレイアウトすることができる。したがって、ユーザーは、一つの指示箋シートの上で、他のサブカテゴリーの内容を参照しながら、新しいサブカテゴリーの内容を決定し入力することができるので、新しいサブカテゴリーの内容の決定・入力が容易になり、且つ、複数のサブカテゴリー相互の整合性を高く保つことができるようになる。
【００３６】
また、本発明においては、指示箋シート上にレイアウトする入力ユニットを、一行単位のものとして構成するようにしたので、指示箋シート上へのレイアウトを効率的に行えるようになると共に、指示箋シートの全体が見た目にも分かり易いものになる。
【００３７】
また、本発明においては、挿入位置指定手段により、指示箋シート上に既に作成された複数のサブカテゴリー（入力ユニット及びデータ）の各行の間に、新しい入力ユニットを自由に挿入することができるので、ユーザーによるサブカテゴリーのレイアウトがより容易に行えるようになる。
【００３８】
また、本発明においては、予め、指示箋シート上に作成された各入力ユニットにそれぞれ対応する挿入ボタンを画面表示させるようにしておき、ユーザーがその挿入ボタンを操作するだけで、その対応する行の位置に、新しい入力ユニットを生成できるようにしたので、ユーザーによる指示箋シート上での複数のサブカテゴリーのレイアウトがより容易に行えるようになる。
【００３９】
また、本発明においては、予め、指示箋シート上に作成された各入力ユニットにそれぞれ対応する消去ボタンを画面表示させるようにしておき、ユーザーがその消去ボタンを操作するだけで、その対応する行の入力ユニット及びデータを一括消去できるようにしたので、ユーザーによる指示箋シート上での複数のサブカテゴリーのレイアウトがより容易に行えるようになる。
【００４０】
また、本発明においては、新しく選択・生成されたサブカテゴリーの入力ユニットに対応する慣用語例を表示させて、その慣用語例の中から該当する文字列などをユーザーが選択することにより、入力ユニットの中の該当する項目のデータ領域に自動的に入力することができるので、忙しい現場でのユーザーの医師によるサブカテゴリーの入力作業がより省力化・効率化できるようになる。
【図面の簡単な説明】
【図１】  本発明の一実施形態の主要部の構成を概念的に示す概略ブロック図である。
【図２】  本実施形態が適用される電子カルテシステムにより表示された指示箋シートの画面構成の一例を示す図である。
【図３】  本実施形態の動作を説明するための図である。
【図４】  本実施形態の動作を説明するための図である。
【図５】  本実施形態の動作を説明するための図である。
【図６】  本実施形態の動作を説明するための図である。
【図７】  本実施形態の動作を説明するための図である。
【図８】  本実施形態の動作を説明するための図である。
【図９】  本実施形態の動作を説明するための図である。
【図１０】  本実施形態の動作を説明するための図である。
【図１１】  本実施形態の動作を説明するための図である。
【符号の説明】
１  サブカテゴリー選択部
２  入力ユニット記録部
３  入力ユニット選択部
４  入力ユニット生成位置選択部
５  入力ユニット生成部
６  慣用語例記録部
７  慣用語例選択部
８  慣用語例表示部
【図１】
0004064547.tif 000002
【図２】
0004064547.tif 000003
【図３】
0004064547.tif 000004
【図４】
0004064547.tif 000005
【図５】
0004064547.tif 000006
【図６】
0004064547.tif 000007
【図７】
0004064547.tif 000008
【図８】
0004064547.tif 000009
【図９】
0004064547.tif 000010
【図１０】
0004064547.tif 000011
【図１１】
0004064547.tif 000012